(57)【要約】      （修正有）【課題】強度を比較的大きくすることができ、複数の食品用包装容器を積み重ねたものに対して帯状体を巻き付けて束ねたときに、この食品用包装容器が帯状体から外れ難くすることができる食品用包装容器を提供すること。【解決手段】容器本体７の開口部７ａがトップシール８によって閉じられる食品用包装容器６において、開口部７ａを形成する開口縁に形成された鍔状部９と、この鍔状部９の互いに対向する外縁に形成されたくびれ部１２とを備え、くびれ部１２は、開口部７ａがトップシール８で閉じられて複数段に積み重ねられた食品用包装容器６に対して、帯状体を巻き付けて束ねたときに、この帯状体があてがわれるように構成した。【選択図】図１
0003117695.tif 000002
【実用新案登録請求の範囲】
【請求項１】
容器本体の開口部がフィルムによって閉じられる食品用包装容器において、
前記開口部を形成する開口縁に形成された鍔状部と、当該鍔状部の互いに対向する外縁に形成されたくびれ部とを備え、前記くびれ部は、前記開口部が前記フィルムで閉じられて複数段に積み重ねられた前記食品用包装容器に対して、帯状体を巻き付けて束ねたときに、前記帯状体があてがわれることを特徴とする食品用包装容器。
【請求項２】
前記容器本体の底部の略中央から放射状方向に延びる第１リブが設けられ、前記第１リブが前記底部から側壁部に亘って形成されていることを特徴とする請求項１記載の食品用包装容器。
【請求項３】
前記容器本体の外形が略逆四角錐台形であり、前記第１リブが前記容器本体の底部の対角線方向に延びることを特徴とする請求項２記載の食品用包装容器。
【請求項４】
前記容器本体の底部に第２リブが設けられ、前記第２リブは、前記底部の略中央を中心とする円の周方向に沿って形成されていることを特徴とする請求項１乃至３のいずれかに記載の食品用包装容器。
【請求項５】
前記容器本体の側壁部の縦断面形状が内側に湾曲する略円弧状であることを特徴とする請求項１乃至４のいずれかに記載の食品用包装容器。
【請求項６】
請求項１乃至５のいずれかに記載の食品用包装容器の前記開口部が前記フィルムで閉じられており、前記フィルムが施された前記食品用包装容器が複数段に積み重ねられ、これら複数段に積み重ねられた前記食品用包装容器に対して、帯状体を巻き付けて束ねてあり、前記帯状体が前記くびれ部にあてがわれていることを特徴とする食品用包装容器セット。
【考案の詳細な説明】
【技術分野】
【０００１】
本考案は、例えば佃煮（塩昆布等）等の食品を包装することができる食品用包装容器、及び食品用包装容器セットに関する。
【背景技術】
【０００２】
従来の食品用包装容器の一例として図６に示すものがある（例えば、特許文献１参照。）。この食品用包装容器（以下、単に「包装容器」と言うこともある。）１は、同図に示すように、外形が略逆四角錐台形の容器本体２を有し、この容器本体２の開口部２ａがトップシール（図示せず）によって閉じられるものである。このトップシールは、容器本体２の開口縁に形成された鍔状部３の上面に熱融着される。なお、矩形の枠状に形成された鍔状部３の外周縁には、容器本体２の下方に向かって突出する環状のリブ４が形成されており、このリブ４によって鍔状部３が補強されている。
【０００３】
この食品用包装容器１を使用して食品を包装するときは、容器本体２内に食品を詰めた後に、トップシールで蓋をする。次に、この包装容器１に詰められた食品を滅菌するために、食品が詰められたこの包装容器１を加熱する。このようにして食品を包装することができる。
【０００４】
ここで、包装容器１が滅菌加熱されるときに、矩形の枠状に形成された鍔状部３が熱によって変形しようとするが、リブ４は、鍔状部３が加熱によって変形することを防止することができる。このように、鍔状部３の熱による変形を防止できるので、トップシールが鍔状部３から剥がれることを防止でき、食品の衛生及び品質を保持することができる。
【特許文献１】実用新案登録第３１０２７１３号公報
【考案の開示】
【考案が解決しようとする課題】
【０００５】
しかし、図６に示す従来の食品用包装容器１では、鍔状部３にリブ４が形成されているので、このリブ４によって鍔状部３を補強することができるが、このリブ４によって容器本体２の底部２ｂや側壁部２ｃを十分に補強することができない。
【０００６】
従って、例えば食品が詰められた図６に示す包装容器１を複数段に積み重ねて、この積み重ねた複数の包装容器１に対して帯状体（図示せず）を巻き付けて束ねた場合、この束ねられた包装容器１を手で持ったときに、包装容器１が変形して帯状体から外れることがある。
【０００７】
また、互いに対抗する位置に形成された鍔状部３の外縁は、互いに平行しているので、複数段に束ねられた包装容器１のうちのいずれかが、環状の帯状体から抜け出て外れることがあり、このようにいずれかの包装容器１が外れると、全ての包装容器１が帯状体から外れてしまう。
【０００８】
本考案は、上記のような課題を解決するためになされたものであり、強度を比較的大きくすることができ、複数の食品用包装容器を積み重ねたものに対して帯状体を巻き付けて束ねたときに、この食品用包装容器が帯状体から外れ難くすることができる食品用包装容器を提供することを目的としている。
【課題を解決するための手段】
【０００９】
本考案に係る食品用包装容器は、容器本体の開口部がフィルムによって閉じられる食品用包装容器において、前記開口部を形成する開口縁に形成された鍔状部と、当該鍔状部の互いに対向する外縁に形成されたくびれ部とを備え、前記くびれ部は、前記開口部が前記フィルムで閉じられて複数段に積み重ねられた前記食品用包装容器に対して、帯状体を巻き付けて束ねたときに、前記帯状体があてがわれることを特徴とするものである。
【００１０】
この考案に係る食品用包装容器は、容器本体内に例えば佃煮等の食品を詰めた状態で、容器本体の開口部をフィルムで蓋をすることによって食品を包装することができる。また、例えば食品が詰められた食品用包装容器を複数段に積み重ねて、この複数段に積み重ねられた食品用包装容器に対して、帯状体を巻き付けて束ねたときに、この帯状体を鍔状部に形成されたくびれ部にあてがうことができる。このくびれ部は、食品用包装容器が帯状体から抜け出て外れることを防止することができる。
【００１１】
そして、この考案に係る食品用包装容器において、前記容器本体の底部の略中央から放射状方向に延びる第１リブが設けられ、前記第１リブを、前記底部から側壁部に亘って形成するとよい。このようにすると、例えばこの食品用包装容器の鍔状部に指をあてがって包装容器を持ち上げたときに、食品の重量によって包装容器が変形するが、包装容器の変形量を第１リブによって小さく抑えることができる。つまり、第１リブを底部の略中央から放射状方向に延びるように形成してあるので、鍔状部の周方向のいずれの部分に指をあてがってこの包装容器を持ち上げた場合でも、包装容器が変形によって折れ曲がろうとする部分に対して第１リブが常に交差することになるので、包装容器の変形をこの第１リブによって小さく抑えることができる。
【００１２】
また、この考案に係る食品用包装容器において、前記容器本体の外形が略逆四角錐台形であり、前記第１リブが前記容器本体の底部の対角線方向に延びるようにするとよい。このようにすると、例えば鍔状部の直線外縁（例えばくびれ部）に指をあてがって包装容器を持ち上げたときに、その指をあてがった鍔状部と略平行に折れ曲がり部分が容器本体に形成されようとするが、第１リブを対角線方向に形成してあるので、この第１リブが折れ曲がろうとする部分と交差することとなり、包装容器の変形をこの第１リブによって確実に抑えることができる。
【００１３】
更に、この考案に係る食品用包装容器において、前記容器本体の底部に第２リブが設けられ、前記第２リブを、前記底部の略中央を中心とする円の周方向に沿って形成するとよい。このようにすると、底部に折れ曲がり方向の力が掛かり、底部が折れ曲がろうとするときに、その折れ曲がろうとする部分がいずれの方向であっても、折れ曲がろうとする部分と円周方向の第２リブとが交差するので、この第２リブによって底部の変形を小さくすることができる。
【００１４】
そして、この考案に係る食品用包装容器において、前記容器本体の側壁部の縦断面形状を、内側に湾曲する略円弧状とするとよい。このようにすると、例えばこの食品用包装容器に圧縮荷重が掛かった場合、側壁部が円弧状に撓むこととなり、座屈することを防止できる。よって、この包装容器の破損を防止できる。しかも、側壁部を内側に湾曲させているので、容器本体の開口部の大きさを変更せずに、この包装容器の内容量を少なくすることができる。よって、包装容器の開口部が所定の大きさに定められていても、側壁部の曲率半径や傾斜角度を変更することによって、包装容器の内容量を所望の量に設定することができる。
【００１５】
また、本考案に係る食品用包装容器セットは、それぞれの前記食品用包装容器の前記開口部が前記フィルムで閉じられており、前記フィルムが施された前記食品用包装容器が複数段に積み重ねられ、これら複数段に積み重ねられた前記食品用包装容器に対して、帯状体を巻き付けて束ねてあり、前記帯状体が前記くびれ部にあてがわれていることを特徴とするものである。
【００１６】
この考案に係る食品用包装容器セットによると、例えばこのセットを構成するそれぞれの食品用包装容器に食品を一人前ずつ詰めて販売することができる。このセットを購入する消費者は、例えば家族の人数分に合わせって食品をセットで購入することができ、購入する個数の間違いを防止できる。
【００１７】
また、複数の食品用包装容器を積み重ねて束ねたものは、食品及び包装容器の重量によって全体の重量が大きくなり、この食品用包装容器セットを持ち上げたときに、各容器に比較的大きな力が掛かるが、容器本体に第１及び第２リブを設けることによって、各包装容器の変形を小さくすることができ、よって、この食品用包装容器セットを持ち運び易くすることができる。
【考案の効果】
【００１８】
この考案に係る食品用包装容器によると、開口部がフィルムで閉じられて複数段に積み重ねられた食品用包装容器に対して、帯状体を巻き付けて束ねたときに、帯状体を鍔状部のくびれ部にあてがうことができる構成としたので、束ねられた食品用包装容器が帯状体から外れ難くすることができる。従って、このように帯状体で束ねられた食品用包装容器を、きちんと積み重ねて束ねられた状態で搬送することができる。その結果、この束ねられた食品用包装容器をきちんと重ねた状態で陳列することができて便利である。
【考案を実施するための最良の形態】
【００１９】
以下、本考案に係る食品用包装容器の一実施形態を図１〜図５を参照して説明する。この食品用包装容器６は、例えば佃煮（塩昆布等）等の食品を包装することができるものであり、容器本体７の開口部７ａがフィルム（トップシール）８によって閉じられるものである。
【００２０】
容器本体７は、例えばＰＥＴ、ポリプロピレン等のプラスチック製の厚みの薄い成型品である。そして、図１〜図３に示すように、平面形状が略正方形であって、全体の形状は略逆四角錐台形の底の浅い小鉢形状である。容器本体７の開口縁には、図１に示すように、全周に亘って鍔状部９が形成され、この鍔状部９の外周縁には、斜め下方に向かう傾斜縁１０が形成されている。また、鍔状部９の４つの各角部には、略三角形状の摘み保持部１１が形成されている。
【００２１】
これら４つの各摘み保持部１１は、傾斜縁１０の下端縁から水平方向外側に延びており、表面に多数の小突起１１ａが形成されている。この摘み保持部１１は、鍔状部９の表面に例えば熱融着されたトップシール８を剥がすときに、トップシール８の摘み部８ａを摘まみ易くするためのものであり、表面に形成されている多数の小突起１１ａによって、トップシール８の摘み部８ａが摘み保持部１１の表面に密着し難くしてある。そして、容器本体７の４つの各角部のそれぞれに対して摘み保持部１１を設けてあるので、４つのいずれの角部からでもトップシール８を容器本体７から剥がすことができて便利である。
【００２２】
また、図１に示すように、容器本体７の摘み保持部１１と摘み保持部１１との間であって、鍔状部９の４つの各外縁にくびれ部１２を４つ形成してある。この４つのくびれ部１２は、図４及び図５に示すように、容器本体７の開口部７ａがトップシール８で閉じられて複数段（例えば３段）に積み重ねられた食品用包装容器６に対して、帯状体１３を巻き付けて束ねたときに、帯状体１３があてがわれるものである。この実施形態では、くびれ部１２の長さを、帯状体１３の横幅よりも少し長い寸法に形成してある。
【００２３】
更に、図２等に示すように、容器本体７には、４つの側壁部１４が形成されており、この側壁部１４は、四角筒状の上部側壁１５、中間側壁１６、及び下部側壁１７で構成されている。上部側壁１５は、鍔状部９の内周縁と接続し、この上部側壁１５の下端に中間側壁１６が接続している。そして、中間側壁１６の下端に下部側壁１７が接続している。これら上部側壁１５及び下部側壁１７は、図３に示すように、容器本体７の開口部７ａに向かうに従って少し外側に傾斜する形状であり、中間側壁１６は、縦断面形状が内側に湾曲する円弧形状に形成されている。また、図１に示すように、四角筒状の中間側壁１６及び下部側壁１７のそれぞれの４つの各角部に面取り部１８が形成されている。
【００２４】
容器本体７の底部１９には、図３に示すように、中央部が内側（上方）に向かってドーム状（球体の一部が成す形状）に湾曲する湾曲部１９ａが形成されている。
【００２５】
また、図１〜図３に示すように、中間側壁１６、下部側壁１７、及び底部１９に亘って第１リブ２０が形成され、底部１９に第２リブ２１が形成されている。これら第１及び第２リブ２０、２１は、容器本体７を屈曲して、容器本体７の内側に、断面Ｕ字状に突出するように形成したものである。
【００２６】
第１リブ２０は、図１に示すように、容器本体７の対角線方向（容器本体７の底部１９の略中央から放射状方向）に沿って４つ設けられている。これら４つの第１リブ２０は、同等の形状、大きさ及び方向に形成されているので、図１に示す左上に形成されているものを説明し、これ以外の３つの第１リブ２０の説明を省略する。つまり、図１の左上に形成されている第１リブ２０は、互いに隣り合う中間側壁１６、１６の接続部に形成されている面取り部１８の中央から底部１９の中心に向かって延びて形成され、底部１９の中心の少し手前で終端している。
【００２７】
第２リブ２１は、図１に示すように、容器本体７の湾曲部（底部１９）１９ａに設けられ、底部１９の略中央を中心とする所定半径の円の周方向に沿って形成されている。
【００２８】
また、図１及び図２に示すように、左側中間側壁１６、右側中間側壁１６、及び正面中間側壁１６のそれぞれの鍔状部９側の上縁に沿う位置の内面には、例えば合計４つの第１〜第４凹部２２〜２５２２、２３、２４、２５が形成されている。これら各凹部２２、・・・は、容器本体７を屈曲して形成しているので、各凹部２２、・・・と対応する容器本体７の各外面位置には、対応する形状の凸部２６、・・・が形成されている。
【００２９】
つまり、図１に示すように、第１凹部２２は、左側中間側壁１６ａにおける背面中間側壁１６ｄに近い位置に設けられている。第２凹部２３は、第１凹部２２と左右対称の位置に設けられ、右側中間側壁１６ｂにおける背面中間側壁１６ｄに近い位置に設けられている。第３及び第４凹部２４、２５は、いずれも正面中間側壁１６ｃに設けられており、第３凹部２４が左側中間側壁１６ａに近い位置に形成され、第４凹部２５が右側中間側壁１６ｂに近い位置に形成されている。
【００３０】
これら第１〜第４凹部２２〜２５は、容器本体７を積み重ねたときに、上下段の容器本体７、７どうしが互いに密着しないようにするためのものである。例えば下段の容器本体７を図１に示すように配置して、その上段の容器本体７を９０°時計方向に回転させて積み重ねると、下段の容器本体７の第１〜第４凹部２２〜２５の位置と、上段の容器本体７の第１〜第４凹部２２〜２５の位置とが互いに完全に重なり合わないので、上段の容器本体７と下段の容器本体７との間に隙間が形成され、両者が密着しないように積み重ねることができる。これによって、容器本体７を例えば１つずつ取り出し易くすることができる。
【００３１】
なお、図１に示す容器本体７は、鍔状部９の外縁の縦及び横の各寸法が例えば約９５ｍｍであり、高さが例えば約２０ｍｍである。
【００３２】
上記のように構成された図１等に示す食品用包装容器６は、容器本体７内に例えば佃煮等の食品を詰めた状態で、容器本体７の開口部７ａをトップシール８で蓋をすることによって食品を包装することができる。このトップシール８は、図１に示すように、平面形状が略正方形であり、容器本体７の鍔状部９及び摘み保持部１１の輪郭形状よりも少し大きく形成されている。このトップシール８は、容器本体７の鍔状部９の上面に熱融着されるものであり、その材質は、例えば例えばＰＥＴ、ポリプロピレン等のプラスチック製のフィルムである。
【００３３】
また、図４及び図５に示すように、例えば食品が詰められた食品用包装容器６を例えば３段に積み重ねて、この３段に積み重ねられた食品用包装容器６に対して、帯状体１３を巻き付けて束ねたときに、この帯状体１３を鍔状部９に形成されたくびれ部１２にあてがうことができる。
【００３４】
このくびれ部１２は、食品用包装容器６が帯状体１３から抜け出て外れることを防止することができる。この帯状体１３は、くびれ部１２の横幅よりも少し狭い寸法の横幅に形成されており、プラスチック製のフィルムである。この帯状体１３の両端部も例えば熱融着されている。
【００３５】
このくびれ部１２によって、この束ねられた３つの食品用包装容器６を、環状の帯状体１３から外れ難くすることができる。従って、このように帯状体１３で束ねられた３つの食品用包装容器６を、きちんと積み重ねて束ねられた状態で搬送することができ、その結果、この束ねられた食品用包装容器６をきちんと積み重ねた状態で陳列することができて便利である。
【００３６】
また、図１に示すように、第１リブ２０を、容器本体７の底部１９の対角線方向に延びるように形成してある。このように構成したことによって、例えば鍔状部９の直線外縁(例えばくびれ部１２)に指をあてがって包装容器６を持ち上げたときに、その指をあてがった鍔状部９と略平行に折れ曲がり部分が容器本体７に形成されようとするが、第１リブ２０を対角線方向に形成してあるので、この第１リブ２０が折れ曲がろうとする部分と交差することとなり、包装容器６の変形をこの第１リブ２０によって確実に抑えることができる。
【００３７】
更に、図１に示すように、容器本体７の底部１９に第２リブ２１を設けてあり、この第２リブ２１は、底部１９の略中央を中心とする円の周方向に沿って形成されている。このように構成したことによって、底部１９に折れ曲がり方向の力が掛かり、底部１９が折れ曲がろうとするときに、その折れ曲がろうとする部分がいずれの方向であっても、折れ曲がろうとする部分と円周方向の第２リブ２１とが交差するので、この第２リブ２１によって底部１９の変形を小さくすることができる。
【００３８】
そして、図３に示すように、容器本体７の中間側壁１６の縦断面形状を、内側に湾曲する略円弧状に形成してある。このように形成したことによって、例えばこの食品用包装容器６に圧縮荷重が掛かった場合、中間側壁１６が円弧状に撓むこととなり、座屈することを防止できる。よって、この包装容器６の破損を防止できる。しかも、中間側壁１６を内側に湾曲させているので、容器本体７の開口部７ａの大きさを変更せずに、この包装容器６の内容量を少なくすることができる。よって、包装容器６の開口部７ａが所定の大きさに定められていても、中間側壁１６の曲率半径や傾斜角度を変更することによって、包装容器６の内容量を所望の量に設定することができる。
【００３９】
また、図４に示すように、この食品用包装容器６によると、トップシール８が熱融着された食品用包装容器６を３段に積み重ね、これら３段に積み重ねた食品用包装容器６に対して、帯状体１３を巻き付けて束ねることができ、そして、帯状体１３をくびれ部１２にあてがうことができる。このように構成した食品用包装容器セット２７によると、例えばこのセット２７を構成するそれぞれの食品用包装容器６に食品を一人前ずつ詰めて販売することができる。このセット２７を購入する消費者は、例えば家族の人数分に合わせって食品をセットで購入することができ、購入する個数の間違いを防止できる。
【００４０】
また、図４に示すように、３つの食品用包装容器６を積み重ねて束ねたものは、食品及び包装容器６の重量によって全体の重量が大きくなり、この食品用包装容器セット２７を持ち上げたときに、各容器６に比較的大きな力が掛かるが、容器本体７には、第１及び第２リブ２０、２１が設けられているので、各包装容器６の変形を小さく抑えることができる。よって、この食品用包装容器セット２７を持ち運び易くすることができる。
【００４１】
ただし、上記実施形態では、図１等に示すように、この食品用包装容器６の形状を略四角錐台形状としたが、これ以外の、例えば多角錐台形状や円錐台形状としてもよい。この場合でも、鍔状部９は、外縁の互いに対向する位置にくびれ部１２を形成できるように形成する。
【００４２】
また、この場合には、第１リブ２０は、容器本体７の底部１９の略中央から放射状方向に延びるように設け、底部１９から側壁部１４に亘って形成する。このように、第１リブ２０を容器本体７の底部１９の略中央から放射状方向に延びるように形成すると、鍔状部９の周方向のいずれの部分に指をあてがってこの包装容器６を持ち上げた場合でも、包装容器６の折れ曲がろうとする部分に対して第１リブ２０が常に交差することになるので、包装容器６の変形をこの第１リブ２０によって小さく抑えることができる。
【００４３】
更に、上記実施形態では、図１に示す鍔状部９の上下の外縁及び左右の外縁にそれぞれくびれ部１２を設けたが、上下の外縁又は左右の外縁のいずれかにくびれ部１２を設けてもよい。
【００４４】
そして、上記実施形態では、図４に示すように、食品用包装容器６を３段に積み重ねたものとしたが、３段以外の複数段として、この複数段に積み重ねた食品用包装容器６を帯状体１３で束ねたものとしてもよい。
【産業上の利用可能性】
【００４５】
以上のように、本考案に係る食品用包装容器は、強度を比較的大きくすることができ、複数の食品用包装容器を積み重ねたものに対して帯状体を巻き付けて束ねたときに、この食品用包装容器が帯状体から外れ難くすることができる優れた効果を有し、このような食品用包装容器等に適用するのに適している。
【図面の簡単な説明】
【００４６】
【図１】この考案の一実施形態に係る食品用包装容器を示す平面図である。
【図２】同実施形態に係る食品用包装容器を示す正面図である。
【図３】同実施形態に係る食品用包装容器を示すＡ−Ａ端面図である。
【図４】同実施形態の食品用包装容器を３段に積み重ねって包装した食品用包装容器セットを示す正面図である。
【図５】図５に示す食品用包装容器セットの平面図である。
【図６】従来の食品用包装容器を示す斜視図である。
【符号の説明】
【００４７】
６  食品用包装容器
７  容器本体
７ａ  開口部
８  トップシール
９  鍔状部
１０  傾斜縁
１１  摘み保持部
１１ａ  小突起
１２  くびれ部
１３  帯状体
１４  側壁部
１５  上部側壁
１６  中間側壁
１６ａ  左側中間側壁
１６ｂ  右側中間側壁
１６ｃ  正面中間側壁
１６ｄ  背面中間側壁
１７  下部側壁
１８  面取り部
１９  面取り部
１９ａ  湾曲部
２０  第１リブ
２１  第２リブ
２２  第１凹部
２３  第２凹部
２４  第３凹部
２５  第４凹部
２６  凸部
２７  食品用包装容器
【図１】
0003117695.tif 000003
【図２】
0003117695.tif 000004
【図３】
0003117695.tif 000005
【図４】
0003117695.tif 000006
【図５】
0003117695.tif 000007
【図６】
0003117695.tif 000008